【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
複数のネットワーク化されたコンピューティングリソースによる同期型データ処理を行わせるためのシステムであって、前記システムは、少なくとも１つのプロセッサを含み、前記少なくとも１つのプロセッサは、機械による解釈が可能な命令を実行するように構成され、前記システムに、
１つ以上のデータソースから信号を受信することであって、前記信号は、複数のネットワーク化されたコンピューティングリソースによる実行が可能な少なくとも１つのデータプロセスの実行のための命令を示すこと、
前記少なくとも１つのデータプロセスを複数のデータ処理セグメントへと分割することであって、各データ処理セグメントは、複数のネットワーク化された実行プロセッサのうち異なる１つへとルートされるべきものであること、
前記システムから前記複数のネットワーク化された実行プロセッサそれぞれへとルートされた以前のデータ処理リクエストの実行の待ち時間に少なくとも部分的に基づいて、複数のタイミングパラメータを決定することであって、前記複数のタイミングパラメータはそれぞれ、前記複数のデータ処理セグメントのうち対応するものと関連付けられるべきものであり、前記決定された複数のタイミングパラメータにより、前記複数のネットワーク化された実行プロセッサによる前記複数のデータ処理セグメントの同期型実行が行われること、および
前記複数のデータ処理セグメントと関連付けられた前記タイミングパラメータを用いて、前記複数のデータ処理セグメントを前記複数の対応するネットワーク化された実行プロセッサへとルートすること、を行わせるシステム。
【請求項２】
前記複数の決定されたタイミングパラメータのうち少なくとも１つは、前記システムから前記複数のネットワーク化された実行プロセッサのうち少なくとも１つへとルートされた信号処理リクエストの実行における動的に監視される待ち時間に少なくとも部分的に基づいて決定される、請求項１に記載のシステム。
【請求項３】
前記複数の決定されたタイミングパラメータのうち少なくとも１つは、通信遅延および処理遅延のうち少なくとも１つに少なくとも部分的に基づいて決定される、請求項１に記載のシステム。
【請求項４】
前記複数の決定されたタイミングパラメータのうち少なくとも１つは、待ち時間確率モデルに少なくとも部分的に基づいて決定される、請求項１に記載のシステム。
【請求項５】
前記ネットワーク化された実行プロセッサは交換サーバーを含み、前記データ処理セグメントは、金銭的利害に関するトレードリクエストを示す、請求項１に記載のシステム。
【請求項６】
前記金銭的利害は、コモディティおよび無形の利害のうち少なくとも１つを含む、請求項５に記載のシステム。
【請求項７】
前記金銭的利害は、株、債券およびオプションのうち少なくとも１つを含む、請求項５に記載のシステム。
【請求項８】
前記少なくとも１つのプロセッサは、前記システムに、
前記複数のデータ処理セグメントのうち少なくとも１つそれぞれと、少なくとも１つの数量条件を示すデータとを関連付けることであって、前記少なくとも１つの数量条件は、前記少なくとも１つのデータ処理セグメントそれぞれを示すリクエストに従ってトレードされるべき金銭的利害の少なくとも１つの数量と、各このような数量条件と関連付けられた少なくとも１つの対応する価格条件とを示し、前記数量条件は、前記少なくとも１つのデータ処理セグメントによって示されるトレードの実行時において用いられるべき少なくとも１つの提案価格を示すこと、を行わせるための命令を実行するようにさらに構成され、
前記少なくとも１つの数量条件は、前記少なくとも１つのデータ処理セグメントのルート先である前記ネットワーク化された実行プロセッサと関連付けられた市場において、前記対応する関連付けられた価格条件に相当する価格で公的に申し込まれた前記金銭的利害のうち少なくとも１つの数量よりも大きい、請求項５に記載のシステム。
【請求項９】
前記少なくとも１つの数量条件は、前記データ処理セグメントのルート先である前記ネットワーク化された実行プロセッサと関連付けられた前記市場と関連付けられた取引履歴に少なくとも部分的に基づいて決定される、請求項８に記載のシステム。
【請求項１０】
複数のネットワーク化されたコンピューティングリソースによる同期型データ処理を行わせるためのシステムであって、前記システムは、少なくとも１つのプロセッサを含み、前記少なくとも１つのプロセッサは、機械による解釈が可能な命令を実行するように構成され、前記システムに、
前記複数のネットワーク化されたコンピューティングリソースそれぞれによる信号処理実行リクエストの実行を監視すること、
前記システムおよび前記複数のネットワーク化されたコンピューティングリソースそれぞれとの間の信号プロセス実行の待ち時間と関連付けられた少なくとも１つのタイミングパラメータを決定すること、および
前記少なくとも１つのプロセッサによるアクセスが可能な機械可読型メモリ中に前記少なくとも１つのタイミングパラメータを保存すること、を行わせる、システム。
【請求項１１】
前記少なくとも１つの待ち時間は、通信遅延および処理遅延のうち少なくとも１つと関連付けられる、請求項１０に記載のシステム。
【請求項１２】
前記信号処理実行リクエストの実行は、定期的に監視される、請求項１０に記載のシステム。
【請求項１３】
前記信号処理実行リクエストの実行は、連続的に監視される、請求項１０に記載のシステム。
【請求項１４】
前記ネットワーク化された実行プロセッサは交換サーバーを含み、前記データ処理セグメントは、金銭的利害に関するトレードリクエストを示す、請求項１０に記載のシステム。
【請求項１５】
複数のネットワーク化されたコンピューティングリソースによる同期型データ処理を行わせる方法であって、前記方法は、機械による解釈が可能な命令を実行する少なくとも１つのプロセッサによって行われ、前記機械による解釈が可能な命令は、前記少なくとも１つのプロセッサに、
１つ以上のデータソースから信号を受信することであって、前記信号は、複数のネットワーク化されたコンピューティングリソースによる実行が可能な少なくとも１つのデータプロセスの実行のための命令を示すこと、
前記少なくとも１つのデータプロセスを複数のデータ処理セグメントへと分割することであって、各データ処理セグメントは、複数のネットワーク化された実行プロセッサのうち異なる１つへとルートされるべきものであること、
前記システムから前記複数のネットワーク化された実行プロセッサそれぞれへとルートされた以前のデータ処理リクエストの実行の待ち時間に少なくとも部分的に基づいて、複数のタイミングパラメータを決定することであって、前記複数のタイミングパラメータはそれぞれ、前記複数のデータ処理セグメントのうち対応するものと関連付けられるべきものであり、前記決定された複数のタイミングパラメータにより、前記複数のネットワーク化された実行プロセッサによる前記複数のデータ処理セグメントの同期型実行が行われること、および
前記複数のデータ処理セグメントと関連付けられた前記タイミングパラメータを用いて、前記複数のデータ処理セグメントを前記複数の対応するネットワーク化された実行プロセッサへとルートすること、を行わせるように構成される、方法。
【請求項１６】
前記機械による解釈が可能な命令は、前記少なくとも１つのプロセッサに、
前記複数のデータ処理セグメントそれぞれのうち少なくとも１つと、少なくとも１つの数量条件を示すデータとを関連付けることであって、前記少なくとも１つの数量条件は、前記少なくとも１つのデータ処理セグメントそれぞれを示すリクエストに従ってトレードされるべき金銭的利害の少なくとも１つの数量と、各このような数量条件と関連付けられた少なくとも１つの対応する価格条件とを示し、前記数量条件は、前記少なくとも１つのデータ処理セグメントによって示されるトレードの実行時において用いられるべき少なくとも１つの提案価格を示すこと、を行わせるようにさらに構成され、
前記少なくとも１つの数量条件は、前記少なくとも１つのデータ処理セグメントのルート先である前記ネットワーク化された実行プロセッサと関連付けられた市場において、前記対応する関連付けられた価格条件に相当する価格で公的に申し込まれた金銭的利害のうち少なくとも１つの数量よりも大きい、請求項１５に記載の方法。
【請求項１７】
複数のネットワーク化されたコンピューティングリソースによる同期型データ処理を行わせる方法であって、前記方法は、機械による解釈が可能な命令を実行する少なくとも１つのプロセッサによって行われ、前記機械による解釈が可能な命令は、前記少なくとも１つのプロセッサに、
前記複数のネットワーク化されたコンピューティングリソースそれぞれによる信号処理実行リクエストの実行を監視すること、
前記システムおよび前記複数のネットワーク化されたコンピューティングリソースそれぞれとの間の信号プロセス実行の待ち時間と関連付けられた少なくとも１つのタイミングパラメータを決定すること、および
前記少なくとも１つのプロセッサによるアクセスが可能な機械可読型メモリ中に前記少なくとも１つのタイミングパラメータを保存すること、を行わせるように構成される、方法。
【請求項１８】
非過渡的な機械可読型プログラミング構造を含むコンピュータによる読み出しが可能な媒体であって、前記非過渡的な機械可読型プログラミング構造は、複数のネットワーク化されたコンピューティングリソースによる同期型データ処理を発生させるように構成され、前記プログラミング構造は、少なくとも１つのプロセッサに、
１つ以上のデータソースから信号を受信することであって、前記信号は、複数のネットワーク化されたコンピューティングリソースによる実行が可能な少なくとも１つのデータプロセスの実行のための命令を示すこと、
前記少なくとも１つのデータプロセスを複数のデータ処理セグメントへと分割することであって、各データ処理セグメントは、複数のネットワーク化された実行プロセッサのうち異なる１つへとルートされるべきものであること、
前記システムから前記複数のネットワーク化された実行プロセッサそれぞれへとルートされた以前のデータ処理リクエストの実行の待ち時間に少なくとも部分的に基づいて、複数のタイミングパラメータを決定することであって、前記複数のタイミングパラメータはそれぞれ、前記複数のデータ処理セグメントのうち対応するものと関連付けられるべきものであり、前記決定された複数のタイミングパラメータにより、前記複数のネットワーク化された実行プロセッサによる前記複数のデータ処理セグメントの同期型実行が行われること、および
前記複数のデータ処理セグメントと関連付けられた前記タイミングパラメータを用いて、前記複数のデータ処理セグメントを前記複数の対応するネットワーク化された実行プロセッサへとルートすること、を行わせるように構成される、媒体。
【請求項１９】
前記機械による解釈が可能な命令は、前記少なくとも１つのプロセッサに、
前記複数のデータ処理セグメントのうち少なくとも１つを、それぞれ、少なくとも１つの数量条件を示すデータとを関連付けることであって、前記少なくとも１つの数量条件は、前記少なくとも１つのデータ処理セグメントそれぞれを示すリクエストに従ってトレードされるべき金銭的利害の少なくとも１つの数量と、各このような数量条件と関連付けられた少なくとも１つの対応する価格条件とを示し、前記数量条件は、前記少なくとも１つのデータ処理セグメントによって示されるトレードの実行時において用いられるべき少なくとも１つの提案価格を示すこと、を行わせるようにさらに構成され、
前記少なくとも１つの数量条件は、前記少なくとも１つのデータ処理セグメントのルート先である前記ネットワーク化された実行プロセッサと関連付けられた市場において、前記対応する関連付けられた価格条件に相当する価格で公的に申し込まれた金銭的利害のうち少なくとも１つの数量よりも大きい、請求項１８に記載の媒体。
【請求項２０】
非過渡的な機械可読型プログラミング構造を含むコンピュータによる読み出しが可能な媒体であって、前記非過渡的な機械可読型プログラミング構造は、複数のネットワーク化されたコンピューティングリソースによる同期型データ処理を発生させるように構成され、前記プログラミング構造は、少なくとも１つのプロセッサに、
前記複数のネットワーク化されたコンピューティングリソースそれぞれによる信号処理実行リクエストの実行を監視すること、
前記システムおよび前記複数のネットワーク化されたコンピューティングリソースそれぞれとの間の信号プロセス実行の待ち時間と関連付けられた少なくとも１つのタイミングパラメータを決定すること、および
前記少なくとも１つのプロセッサによるアクセスが可能な機械可読型メモリ中に前記少なくとも１つのタイミングパラメータを保存すること、
を行わせるように構成される、媒体。
【請求項２１】
機械による解釈が可能な命令を実行する少なくとも１つのプロセッサによって行われる方法であって、前記方法が、
、  複数のネットワーク化されたコンピューティングリソースによる実行が可能なデータプロセスの複数の部分の実行に関する命令を示す信号と、前記データプロセスとを関連付けることであって、前記データプロセスは、１つ以上の金銭的利害における複数の提案取引を示し、少なくとも１つのタイミングパラメータにて、前記ネットワーク化されたコンピューティングリソースのうち少なくとも１つによる信号処理リクエストの実行と関連付けられた１つ以上の待ち時間を用いて少なくとも部分的に決定されること、および
前記少なくとも１つの関連付けられたタイミングパラメータを用いて、前記複数の提案取引の前記複数の部分の実行に関する命令を示す信号を前記複数のネットワーク化されたコンピューティングリソースへとルートすること、を行うように構成され、
前記少なくとも１つの関連付けられたタイミングパラメータは、前記複数の提案取引の前記複数の部分の実行に関する命令の前記複数のネットワーク化されたコンピューティングリソースにおける同期型到着または実行が発生するように、決定される、方法。
【請求項２２】
前記少なくとも１つのタイミングパラメータは、前記複数のネットワーク化されたコンピューティングリソースのうち少なくとも１つへとルートされた信号処理リクエストの実行において動的に監視される待ち時間に少なくとも部分的に基づいて決定される、請求項２１に記載の方法。
【請求項２３】
前記少なくとも１つのタイミングパラメータは、前記複数のネットワーク化されたコンピューティングリソースのうち少なくとも１つへとルートされた信号処理リクエストの実行における統計待ち時間に少なくとも部分的に基づいて決定される、請求項２１に記載の方法。
【請求項２４】
前記少なくとも１つのタイミングパラメータは、前記複数のネットワーク化されたコンピューティングリソースのうち少なくとも１つへとルートされた信号処理リクエストの実行における待ち時間履歴に少なくとも部分的に基づいて決定される、請求項２１に記載の方法。
【請求項２５】
前記少なくとも１つのタイミングパラメータは、前記複数のネットワーク化されたコンピューティングリソースのうち少なくとも１つへとルートされた信号処理リクエストの実行における予測待ち時間に少なくとも部分的に基づいて決定される、請求項２１に記載の方法。
【請求項２６】
前記少なくとも１つのタイミングパラメータは、前記同期型到着または実行が同時になるように、決定される、請求項２１に記載の方法。
【請求項２７】
前記少なくとも１つのタイミングパラメータは、前記同期型到着または実行が非同時シークエンスに従って行われるように、決定される、請求項２１に記載の方法。
【請求項２８】
前記少なくとも１つのタイミングパラメータは、前記同期型到着または実行が決定された相対的タイミングに従って行われるように、決定される、請求項２１に記載の方法。
【請求項２９】
前記少なくとも１つのタイミングパラメータは、通信遅延または処理遅延のうち少なくとも１つに少なくとも部分的に基づいて決定される、請求項２１に記載の方法。
【請求項３０】
前記少なくとも１つのタイミングパラメータは、待ち時間確率モデルに少なくとも部分的に基づいて決定される、請求項２１に記載の方法。
【請求項３１】
前記金銭的利害は、コモディティまたは通貨利害のうち少なくとも１つを含む、請求項２１に記載の方法。
【請求項３２】
前記金銭的利害は、エクイティ利害またはノンエクイティ利害、そのデリバティブのうち少なくとも１つを含む、請求項２１に記載の方法。
【請求項３３】
請求項２１から３２のいずれか１項に記載の方法により行われるよう構成された少なくとも１つのプロセッサを含むデバイス。
【請求項３４】
請求項２１から３２のいずれか１項に記載の方法により行われるよう構成された、非過渡的な機械可読型プログラミング構造を含むコンピュータによる読み出しが可能な媒体。
【請求項３５】
機械による解釈が可能な命令を実行する少なくとも１つのプロセッサによって行われる方法であって、前記方法が、
複数のデータ処理セグメントを示す信号を発生させることにより、各データ処理セグメントが、複数のネットワーク化されたコンピューティングリソースにより実行可能なデータプロセスの一部を実行する命令を示すことと、
前記複数のネットワーク化されたコンピューティングリソースを、それぞれ、ルートする以前のデータ処理リクエストの実行における待ち時間に少なくとも部分的に基づいて、複数のタイミングパラメータを決定することであって、前記複数のタイミングパラメータはそれぞれ、前記複数のデータ処理セグメントのうち対応する１つと関連付けられ、前記複数のタイミングパラメータは、前記複数のネットワーク化されたコンピューティングリソースによる前記複数のデータ処理セグメントの同期型実行が発生するように決定されることと、および
前記複数のデータ処理セグメントと関連付けられた前記タイミングパラメータを用いて、前記複数のデータ処理セグメントを前記複数のネットワーク化されたコンピューティングリソースへとルートすることと、
を含む方法。
【請求項３６】
前記方法が、
前記複数のデータ処理セグメントと、それぞれ、少なくとも１つの数量条件を示すデータを関連付けることであって、前記少なくとも１つの数量条件が、前記対応するデータ処理セグメントより示されるリクエストに従ってトレードされるべき金銭的利害の少なくとも１つの数量と、少なくとも１つの対応する価格条件を示し、前記価格条件は、前記少なくとも１つのデータ処理セグメントによって示されるトレードの実行時において用いられるべき少なくとも１つの提案価格を示すこと、
をさらに含む、請求項３５に記載の方法。
【請求項３７】
前記方法が、前記複数のネットワーク化されたコンピューティングリソースのうち少なくとも１つへとルートされた信号処理リクエストの実行において動的に監視される待ち時間に少なくとも部分的に基づく前記複数のタイミングパラメータを決定することをさらに含む、請求項３５に記載の方法。
【請求項３８】
前記方法が、前記複数のネットワーク化されたコンピューティングリソースのうち少なくとも１つへとルートされた信号処理リクエストの実行における統計待ち時間に少なくとも部分的に基づいて前記複数のタイミングパラメータを決定することをさらに含む、請求項３５に記載の方法。
【請求項３９】
前記方法が、前記複数のネットワーク化されたコンピューティングリソースのうち少なくとも１つへとルートされた信号処理リクエストの実行における待ち時間履歴に少なくとも部分的に基づいて前記複数のタイミングパラメータを決定することをさらに含む、請求項３５に記載の方法。
【請求項４０】
前記方法が、前記複数のネットワーク化されたコンピューティングリソースのうち少なくとも１つへとルートされた信号処理リクエストの実行における予測待ち時間に少なくとも部分的に基づいて前記複数のタイミングパラメータを決定する、請求項３５に記載の方法。
【請求項４１】
請求項３５から４０のいずれか1項に記載の方法を行うよう構成された少なくとも１つのプロセッサを含むデバイス。
【請求項４２】
請求項３５から４０のいずれか１項に記載の前記方法を少なくとも１つのプロセッサに行わせるよう構成された非過渡的な機械可読型プログラミング構造を含む、コンピュータによる読み出しが可能な媒体。